(57)【要約】【課題】表示すべき画面に応じて表示装置側の処理だけで表示輝度を変更する。【解決手段】カラー表示信号ｄに基づいて映像を表示する際に、指定色判別回路１０は１画面中を構成する全表示画素の色に指定色でない色を含むか否かを判別し、マイクロコンピュータ７は指定色でない色を含むと判別された場合と指定色でない色を含まないと判別された場合とでバックライト２の明るさを変えて表示輝度を変える。【効果】スクリーンセーバ画面で使用されている色を指定色とし、指定色でない色を含まないと判別された場合に輝度を下げるように設定しておけば、スクリーンセーバ画面の表示輝度を下げて節電することが出来る。【選択図】図１
2006113309.tif 000002
【特許請求の範囲】
【請求項１】
カラー映像信号に基づいて映像を表示する際に、カラー映像信号の１画面中を構成する全表示画素の色に指定色でない色を含むか否かを判別し、指定色でない色を含むと判別した場合と指定色でない色を含まないと判別した場合とで表示輝度を変えることを特徴とする表示輝度制御方法。
【請求項２】
請求項１に記載の表示輝度制御方法において、指定色でない色を含むと判別した場合の表示輝度より指定色でない色を含まないと判別した場合の表示輝度を下げることを特徴とする表示輝度制御方法。
【請求項３】
請求項１に記載の表示輝度制御方法において、指定色でない色を含むと判別した場合の表示輝度より指定色でない色を含まないと判別した場合の表示輝度を上げることを特徴とする表示輝度制御方法。
【請求項４】
入力されたカラー映像信号に基づいて映像を表示する表示装置において、入力されたカラー映像信号の１画面中を構成する全表示画素の色に指定色でない色を含むか否かを判別する指定色判別手段と、前記指定色判別手段で指定色でない色を含むと判別した場合と指定色でない色を含まないと判別した場合とで表示輝度を変える表示輝度変更手段とを具備したことを特徴とする表示装置。
【請求項５】
請求項４に記載の表示装置において、前記表示輝度変更手段は、指定色でない色を含むと判別した場合の表示輝度より指定色でない色を含まないと判別した場合の表示輝度を下げることを特徴とする表示装置。
【請求項６】
請求項４に記載の表示装置において、前記表示輝度変更手段は、指定色でない色を含むと判別した場合の表示輝度より指定色でない色を含まないと判別した場合の表示輝度を上げることを特徴とする表示装置。
【発明の詳細な説明】
【技術分野】
【０００１】
本発明は、表示輝度制御方法および表示装置に関し、さらに詳しくは、表示すべき画面に応じて表示装置側の処理だけで表示輝度を変更することが出来る表示輝度制御方法および表示装置に関する。
【背景技術】
【０００２】
従来、ホストコンピュータがスクリーンセーバ時にＤＤＣ（Display Data Channel）通信によって輝度調整信号を表示装置に送り、その輝度調整信号を受け取った表示装置が表示輝度を低減し、スクリーンセーバ時の消費電力を節減する技術が知られている（例えば、特許文献１参照。）。
【特許文献１】特開２００３−２７１１０７号公報
【発明の開示】
【発明が解決しようとする課題】
【０００３】
上記従来技術では、スクリーンセーバ時の消費電力を節減する効果を得るためには、ホストコンピュータ側でのＤＤＣ通信処理および表示装置側の輝度制御処理の両方が必要になる問題点がある。
そこで、本発明の目的は、表示すべき画面に応じて表示装置側の処理だけで表示輝度を変更することが出来る表示輝度制御方法および表示装置を提供することにある。
【課題を解決するための手段】
【０００４】
第１の観点では、本発明は、カラー映像信号に基づいて映像を表示する際に、カラー映像信号の１画面中を構成する全表示画素の色に指定色でない色を含むか否かを判別し、指定色でない色を含むと判別した場合と指定色でない色を含まないと判別した場合とで表示輝度を変えることを特徴とする表示輝度制御方法を提供する。
上記第１の観点による表示輝度制御方法では、例えば、スクリーンセーバ画面で使用される全ての色を指定色として指定しておき、カラー映像信号の１画面中を構成する全表示画素の色に指定色でない色を含む場合は通常表示のために設定されている輝度とし、指定色でない色を含まないと判別した場合は通常の表示輝度より低減した表示輝度とすることにより、表示装置側の処理だけでスクリーンセーバ時の消費電力を節減することが出来る。
なお、画面はスクリーンセーバ画面に限定されない。また、表示する映像はカラーでもモノクロでもよい。また、表示デバイスは、液晶パネルでもＣＲＴでもよい。
【０００５】
第２の観点では、本発明は、上記第１の観点による表示輝度制御方法において、指定色でない色を含むと判別した場合の表示輝度より指定色でない色を含まないと判別した場合の表示輝度を下げることを特徴とする表示輝度制御方法を提供する。
上記第２の観点による表示輝度制御方法では、例えば、スクリーンセーバ画面で使用される全ての色を指定色として指定しておき、カラー映像信号の１画面中を構成する全表示画素の色に指定色でない色を含む場合は通常表示のために設定されている輝度とし、指定色でない色を含まないと判別した場合は通常の表示輝度より下げた表示輝度とすることにより、表示装置側の処理だけでスクリーンセーバ時の消費電力を節減することが出来る。
【０００６】
第３の観点では、本発明は、上記第１の観点による表示輝度制御方法において、指定色でない色を含むと判別した場合の表示輝度より指定色でない色を含まないと判別した場合の表示輝度を上げることを特徴とする表示輝度制御方法を提供する。
上記第３の観点による表示輝度制御方法では、例えば、白を指定色として指定しておき、カラー映像信号の１画面中を構成する全表示画素の色に白でない色を含む場合は通常表示のために設定されている輝度とし、白でない色を含まないと判別した場合は通常の表示輝度より上げた表示輝度とすることにより、白画面をシャウカステン用スクリーンとして好適に利用することが出来る。
【０００７】
第４の観点では、本発明は、入力されたカラー映像信号に基づいて映像を表示する表示装置において、入力されたカラー映像信号の１画面中を構成する全表示画素の色に指定色でない色を含むか否かを判別する指定色判別手段と、前記指定色判別手段で指定色でない色を含むと判別した場合と指定色でない色を含まないと判別した場合とで表示輝度を変える表示輝度変更手段とを具備したことを特徴とする表示装置を提供する。
上記第４の観点による表示装置では、例えば、スクリーンセーバ画面で使用される全ての色を指定色として指定しておき、カラー映像信号の１画面中を構成する全表示画素の色に指定色でない色を含む場合は通常表示のために設定されている輝度とし、指定色でない色を含まないと判別した場合は通常の表示輝度より低減した表示輝度とすることにより、表示装置側の処理だけでスクリーンセーバ時の消費電力を節減することが出来る。
なお、画面はスクリーンセーバ画面に限定されない。また、表示する映像はカラーでもモノクロでもよい。また、表示デバイスは、液晶パネルでもＣＲＴでもよい。
【０００８】
第５の観点では、本発明は、上記第４の観点による表示装置において、前記表示輝度変更手段は、指定色でない色を含むと判別した場合の表示輝度より指定色でない色を含まないと判別した場合の表示輝度を下げることを特徴とする表示装置を提供する。
上記第５の観点による表示装置では、例えば、スクリーンセーバ画面で使用される全ての色を指定色として指定しておき、カラー映像信号の１画面中を構成する全表示画素の色に指定色でない色を含む場合は通常表示のために設定されている輝度とし、指定色でない色を含まないと判別した場合は通常の表示輝度より下げた表示輝度とすることにより、表示装置側の処理だけでスクリーンセーバ時の消費電力を節減することが出来る。
【０００９】
第６の観点では、本発明は、上記第４の観点による表示装置において、前記表示輝度変更手段は、指定色でない色を含むと判別した場合の表示輝度より指定色でない色を含まないと判別した場合の表示輝度を上げることを特徴とする表示装置を提供する。
上記第６の観点による表示装置では、例えば、白を指定色として指定しておき、カラー映像信号の１画面中を構成する全表示画素の色に白でない色を含む場合は通常表示のために設定されている輝度とし、白でない色を含まないと判別した場合は通常の表示輝度より上げた表示輝度とすることにより、白画面をシャウカステン用スクリーンとして好適に利用することが出来る。
【発明の効果】
【００１０】
本発明の表示輝度制御方法および表示装置によれば、表示すべき画面に応じて表示装置側の処理だけで表示輝度を変更することが出来る。
【発明を実施するための最良の形態】
【００１１】
以下、図に示す実施例により本発明をさらに詳細に説明する。なお、これにより本発明が限定されるものではない。
【実施例１】
【００１２】
図１は、実施例１に係る液晶表示装置１００を示すブロック図である。
この液晶表示装置１００は、液晶パネル１と、バックライト２と、バックライト２を駆動するインバータ３と、ホストコンピュータＰＣからのカラー表示信号ｄを入力するためのコネクタ４およびＤＶＩ（Digital Visual Interface）レシーバ５と、ＤＶＩレシーバ５から出力されるカラー映像信号や制御信号を基に液晶パネル１を駆動して映像を表示する画像処理部６と、ＤＶＩレシーバ５から出力されるカラー映像信号や制御信号を基に１画面中を構成する全表示画素の色に指定色でない色を含むか否かを判別する指定色判別回路１０と、ＤＶＩレシーバ５から出力される制御信号および指定色判別回路１０から出力される判別信号Ｃを基にインバータ３や画像処理部６を制御するマイクロプロセッサ７とを具備している。
なお、指定色判別回路１０以外のハードウエアは、従来の液晶表示装置が元々具備している。
【００１３】
図２は、実施例１に係る指定色判別回路１０を示す回路図である。
指定色デコーダ１１は、画素の色が「青」または「黄」の場合に出力Ｘを「０」とし、画素の色が「青」または「黄」でない場合に出力Ｘを「１」とする。
ＡＮＤゲート１２は、データイネーブル信号Ｅが「１」である場合にピクセルクロック信号Ｐを通過させ、データイネーブル信号Ｅが「０」である場合にピクセルクロック信号Ｐを止める。
遅延回路１３は、極く短い時間（例えばピクセルクロック信号Ｐの周期の１／２程度）だけ垂直同期信号Ｖｓを遅延させる。
【００１４】
Ｄフリップフロップ１４は、遅延回路１３で遅延した垂直同期信号Ｖｓにより出力を「０」にする。また、ＡＮＤゲート１２を通過してきたピクセルクロック信号Ｐの立下りで指定色デコーダ１１の出力Ｘを読み込んで出力する。従って、画素の色が「青」または「黄」の場合に出力Ｑを「０」とし、画素の色が「青」または「黄」でない場合に出力Ｑを「１」にする。
【００１５】
Ｄフリップフロップ１５は、遅延回路１３で遅延した垂直同期信号Ｖｓにより出力Ｑを「０」にする。また、Ｄフリップフロップ１４の出力Ｑの立上りで出力Ｑを「１」にする。つまり、１画面が始まる直前に出力Ｑを「０」にし、１画面を構成する全表示画素の色に「青」または「黄」でない色を含まない場合は出力Ｑを「０」に維持し、１画面を構成する全表示画素の色に「青」または「黄」でない色を１画素でも含む場合は出力Ｑを「１」に変更する。
Ｄフリップフロップ１６は、垂直同期信号ＶｓによりＤフリップフロップ１５の出力Ｑを読み込んで保持する。
【００１６】
結局のところ、実施例１の指定色判別回路１０は、ある画面を構成する全表示画素の色に「青」または「黄」でない色を１画素でも含む場合は判別信号Ｃとして「１」を次の画面中出力し、「青」または「黄」でない色を全く含まないと判別した場合は判別信号Ｃとして「０」を次の画面中出力する。
そこで、図３に示すように、ウインドウズＯＳのスクリーンセーバ画面設定で「伝言板」を選び、背景Ｗの色に「青」を指定し、テキストＴの色に「黄」を指定しておくと、ホストコンピュータＰＣからのカラー表示信号ｄがスクリーンセーバ画面ＳＳでない場合は指定色判別回路１０は判別信号Ｃとして「１」を出力し、スクリーンセーバ画面ＳＳである場合は判別信号Ｃとして「０」を出力する。
【００１７】
図４は、マイクロプロセッサ７による実施例１に係るバックライト制御処理を示すフロー図である。
ステップＳ１では、ＤＶＩレシーバ５から垂直同期信号Ｖｓ（または水平同期信号）が入力されていないかチェックし、入力されていないならステップＳ３へ進み、入力されているならステップＳ６へ進む。
ステップＳ３では、インバータ３を止め、バックライト２をオフにする。そして、ステップＳ１に戻る。つまり、ホストコンピュータＰＣからカラー表示信号ｄが入力されていないときは表示をオフにする（非表示モード）。
【００１８】
ステップＳ６では、指定色判別回路１１からの判別信号Ｃが「０」かチェックし、「０」ならステップＳ７へ進み、「１」ならステップＳ８へ進む。
ステップＳ７では、通常より低い出力になるようにインバータ３を動作させ、バックライト２を通常より低輝度にする。そして、ステップＳ１に戻る。つまり、ホストコンピュータＰＣからカラー表示信号ｄとしてスクリーンセーバ画面ＳＳが入力されているときは画面を暗くする（節電表示モード）。
【００１９】
ステップＳ８では、通常表示のために設定されている輝度に対応した出力になるようにインバータ３を動作させ、バックライト２を通常の設定輝度にする。そして、ステップＳ１に戻る。つまり、ホストコンピュータＰＣからカラー表示信号ｄとしてスクリーンセーバ画面ＳＳ以外の画面が入力されているときは画面を通常の表示輝度にする（通常表示モード）。
【００２０】
実施例１の液晶表示装置１００によれば、表示すべき画面に応じて表示装置側の処理だけで表示輝度を変更することが出来る。例えば表示装置側の処理だけでスクリーンセーバ時の消費電力を節減することが出来る。
【実施例２】
【００２１】
図５は、実施例２に係る指定色判別回路１０を示す回路図である。
指定色デコーダ１１は、第１出力Ｘ１，第２出力Ｘ２および第３出力Ｘ３を有する。そして、画素の色が「黒」の場合に第１出力Ｘ１を「０」とし、画素の色が「黒」でない場合に第１出力Ｘ１を「１」とする。また、画素の色が「白」の場合に第２出力Ｘ２を「０」とし、画素の色が「白」でない場合に第２出力Ｘ２を「１」とする。さらに、画素の色が「黒」「赤」「緑」「黄」「青」「マゼンタ」「シアン」または「白」の場合に第３出力Ｘ３を「０」とし、画素の色が「黒」「赤」「緑」「黄」「青」「マゼンタ」「シアン」または「白」でない場合に第３出力Ｘ３を「１」とする。
【００２２】
ＡＮＤゲート１２は、データイネーブル信号Ｅが「１」である場合にピクセルクロック信号Ｐを通過させ、データイネーブル信号Ｅが「０」である場合にピクセルクロック信号Ｐを止める。
遅延回路１３は、極く短い時間（例えばピクセルクロック信号Ｐの周期の１／２程度）だけ垂直同期信号Ｖｓを遅延させる。
【００２３】
Ｄフリップフロップ２４は、遅延回路１３で遅延した垂直同期信号Ｖｓにより出力を「０」にする。また、ＡＮＤゲート１２を通過してきたピクセルクロック信号Ｐの立下りで指定色デコーダ１１の出力Ｘ１を読み込んで出力する。従って、画素の色が「黒」の場合に出力Ｑを「０」とし、画素の色が「黒」でない場合に出力Ｑを「１」にする。
Ｄフリップフロップ２５は、遅延回路１３で遅延した垂直同期信号Ｖｓにより出力を「０」にする。また、ＡＮＤゲート１２を通過してきたピクセルクロック信号Ｐの立下りで指定色デコーダ１１の出力Ｘ２を読み込んで出力する。従って、画素の色が「白」の場合に出力Ｑを「０」とし、画素の色が「白」でない場合に出力Ｑを「１」にする。
Ｄフリップフロップ２６は、遅延回路１３で遅延した垂直同期信号Ｖｓにより出力を「０」にする。また、ＡＮＤゲート１２を通過してきたピクセルクロック信号Ｐの立下りで指定色デコーダ１１の出力Ｘ３を読み込んで出力する。従って、画素の色が「黒」「赤」「緑」「黄」「青」「マゼンタ」「シアン」または「白」の場合に出力Ｑを「０」とし、画素の色が「黒」「赤」「緑」「黄」「青」「マゼンタ」「シアン」または「白」でない場合に出力Ｑを「１」にする。
【００２４】
Ｄフリップフロップ２７は、遅延回路１３で遅延した垂直同期信号Ｖｓにより出力を「０」にする。また、Ｄフリップフロップ２４の出力Ｑの立上りで出力Ｑを「１」にする。つまり、１画面が始まる直前に出力Ｑを「０」にし、１画面を構成する全表示画素の色に「黒」でない色を全く含まない場合は出力Ｑを「０」に維持し、１画面を構成する全表示画素の色に「黒」でない色を１画素でも含む場合は出力Ｑを「１」に変更する。
Ｄフリップフロップ２８は、遅延回路１３で遅延した垂直同期信号Ｖｓにより出力を「０」にする。また、Ｄフリップフロップ２５の出力Ｑの立上りで出力Ｑを「１」にする。つまり、１画面が始まる直前に出力Ｑを「０」にし、１画面を構成する全表示画素の色に「白」でない色を全く含まない場合は出力Ｑを「０」に維持し、１画面を構成する全表示画素の色に「白」でない色を１画素でも含む場合は出力Ｑを「１」に変更する。
Ｄフリップフロップ２９は、遅延回路１３で遅延した垂直同期信号Ｖｓにより出力を「０」にする。また、Ｄフリップフロップ２６の出力Ｑの立上りで出力Ｑを「１」にする。つまり、１画面が始まる直前に出力Ｑを「０」にし、１画面を構成する全表示画素の色に「黒」「赤」「緑」「黄」「青」「マゼンタ」「シアン」または「白」でない色を全く含まない場合は出力Ｑを「０」に維持し、１画面を構成する全表示画素の色に「黒」「赤」「緑」「黄」「青」「マゼンタ」「シアン」または「白」でない色を１画素でも含む場合は出力Ｑを「１」に変更する。
【００２５】
Ｄフリップフロップ３０は、垂直同期信号ＶｓによりＤフリップフロップ２７の出力を読み込んで保持する。
Ｄフリップフロップ３１は、垂直同期信号ＶｓによりＤフリップフロップ２８の出力を読み込んで保持する。
Ｄフリップフロップ３２は、垂直同期信号ＶｓによりＤフリップフロップ２９の出力を読み込んで保持する。
【００２６】
結局のところ、実施例２の指定色判別回路１０は、ある画面を構成する全表示画素の色に「黒」でない色を含む場合は判別信号Ｃ１として「１」を次の画面中出力し、「黒」でない色を含まないと判別した場合は判別信号Ｃ１として「０」を次の画面中出力する。また、ある画面を構成する全表示画素の色に「白」でない色を含む場合は判別信号Ｃ２として「１」を次の画面中出力し、「白」でない色を含まないと判別した場合は判別信号Ｃ２として「０」を次の画面中出力する。さらに、ある画面を構成する全表示画素の色に「黒」「赤」「緑」「黄」「青」「マゼンタ」「シアン」または「白」でない色を含む場合は判別信号Ｃ３として「１」を次の画面中出力し、「黒」「赤」「緑」「黄」「青」「マゼンタ」「シアン」または「白」でない色を含まないと判別した場合は判別信号Ｃ３として「０」を次の画面中出力する。
【００２７】
図６は、マイクロプロセッサ７による実施例２に係るバックライト制御処理を示すフロー図である。
ステップＳ１では、ＤＶＩレシーバ５から垂直同期信号Ｖｓ（または水平同期信号）が入力されていないかチェックし、入力されていないならステップＳ３へ進み、入力されているならステップＳ２へ進む。
ステップＳ２では、指定色判別回路１１からの判別信号Ｃ１が「０」かチェックし、「０」ならステップＳ３へ進み、「１」ならステップＳ４へ進む。
ステップＳ３では、インバータ３を止め、バックライト２をオフにする。そして、ステップＳ１に戻る。つまり、ホストコンピュータＰＣからカラー表示信号ｄが入力されていないか又はカラー表示信号ｄとして全画素が「黒」の画面が入力されているときは表示をオフにする（非表示モード）。
【００２８】
ステップＳ４では、指定色判別回路１１からの判別信号Ｃ２が「０」かチェックし、「０」ならステップＳ５へ進み、「１」ならステップＳ６へ進む。
ステップＳ５では、通常より高い出力になるようにインバータ３を動作させ、バックライト２を通常より高輝度にする。そして、ステップＳ１に戻る。つまり、ホストコンピュータＰＣからカラー表示信号ｄとして全画素が「白」の画面が入力されているときは画面を明るくする（高輝度表示モード）。これにより、図７に示すように、液晶パネル１の上に置いたフィルムはさみＰでフィルムＦ１，Ｆ２を挟んで液晶パネル１の画面上に保持すれば、白画面をシャウカステン用スクリーンとして好適に利用することが出来る。
【００２９】
ステップＳ６では、指定色判別回路１１からの判別信号Ｃ３が「０」かチェックし、「０」ならステップＳ７へ進み、「１」ならステップＳ８へ進む。
ステップＳ７では、通常より低い出力になるようにインバータ３を動作させ、バックライト２を通常より低輝度にする。そして、ステップＳ１に戻る。つまり、ホストコンピュータＰＣからカラー表示信号ｄとして図３に示す如きスクリーンセーバ画面ＳＳや図８に示す如きカラーバー画面ＣＢが入力されているときは画面を暗くする（節電表示モード）。
【００３０】
ステップＳ８では、通常表示のために設定されている輝度に対応した出力になるようにインバータ３を動作させ、バックライト２を通常の設定輝度にする。そして、ステップＳ１に戻る。つまり、ホストコンピュータＰＣからカラー表示信号ｄとして「全黒画面」「全白画面」「スクリーンセーバ画面ＳＳ」および「カラーバー画面ＣＢ」以外の画面が入力されているときは画面を通常の表示輝度にする（通常表示モード）。
【００３１】
実施例２の液晶表示装置によれば、表示すべき画面に応じて表示装置側の処理だけで表示輝度を変更することが出来る。例えば表示装置側の処理だけでスクリーンセーバ時やテレビ放送がカラーバー画面ＣＢを送信しているときの消費電力を節減することが出来る。
【実施例３】
【００３２】
本発明は、ＣＲＴ表示装置にも適用できる。その場合、バックライトの制御の代わりに、輝度レベルを制御すればよい。
【産業上の利用可能性】
【００３３】
本発明の表示輝度制御方法および表示装置は、節電のために利用することが出来る。
【図面の簡単な説明】
【００３４】
【図１】実施例１に係る液晶表示装置を示す構成図である。
【図２】実施例１に係る指定色判別回路を示す回路図である。
【図３】スクリーンセーバ画面の例示図である。
【図４】実施例１に係るバックライト制御処理を示すフロー図である。
【図５】実施例２に係る指定色判別回路を示す回路図である。
【図６】実施例２に係るバックライト制御処理を示すフロー図である。
【図７】全白画面の例示図である。
【図８】カラーバー画面の例示図である。
【符号の説明】
【００３５】
１                          液晶パネル
２                          バックライト
３                          インバータ
７                          マイクロコンピュータ
１０                        指定色判別回路
１１                        指定色デコーダ
１２                        ＡＮＤゲート
１３                        遅延回路
１４〜１６，２４〜３２      Ｄフリップフロップ
１００                      液晶表示装置
【図１】
2006113309.tif 000003
【図２】
2006113309.tif 000004
【図３】
2006113309.tif 000005
【図４】
2006113309.tif 000006
【図５】
2006113309.tif 000007
【図６】
2006113309.tif 000008
【図７】
2006113309.tif 000009
【図８】
2006113309.tif 000010